(57)【要約】【課題】一方の画像データの関心領域を容易に把握することができ、他方の画像データの関心領域と容易に比較することができる医用画像表示装置の提供。【解決手段】本実施形態に係る医用画像表示装置は、被検体を撮影することにより得られた第１の医用画像において、関心領域を指定する入力が可能な入力部５０と、関心領域内の画像を拡大した拡大医用画像を関心領域に隣接させて、第１の医用画像とともに表示する表示部４０と、第１の医用画像上における関心領域の位置と第１の医用画像の位置とに基づいて、拡大医用画像を表示させる位置を決定する画像データ処理部３０と、を具備する。【選択図】図５
2020058866.tif 000002
【特許請求の範囲】
【請求項１】
被検体を撮影することにより得られた第１の医用画像において、関心領域を指定する入力が可能な入力部と、
前記関心領域内の画像を拡大した拡大医用画像を前記関心領域に隣接させて、前記第１の医用画像とともに表示する表示部と、
前記第１の医用画像上における前記関心領域の位置と前記第１の医用画像の位置とに基づいて、前記拡大医用画像を表示させる位置を決定する画像データ処理部と、
を具備する医用画像表示装置。
【請求項２】
前記表示部は、
前記第１の医用画像上に、前記関心領域の指定以前に入力された関心領域を識別可能に表示する請求項１に記載の医用画像表示装置。
【請求項３】
前記第１の医用画像は、X線撮影画像であり、
前記画像データ処理部は、
前記拡大医用画像として、前記被検体に対して複数の角度から撮影された画像に基づいてトモシンセシス画像を用いる請求項１または２に記載の医用画像表示装置。
【請求項４】
前記表示部は、
前記被検体に対する断面を所定の間隔で変更させた前記トモシンセシス画像を、前記拡大医用画像として表示する請求項３に記載の医用画像表示装置。
【請求項５】
前記表示部は、
前記拡大医用画像を、前記第１の医用画像に重畳させ、且つ前記関心領域に並列させて表示する請求項１乃至４のうちいずれか一項に記載の医用画像表示装置。
【請求項６】
前記表示部は、
前記第１の医用画像を表示する第１の表示エリアを有し、
前記拡大医用画像を、前記第１の表示エリア外に表示する請求項１乃至４のうちいずれか一項に記載の医用画像表示装置。
【請求項７】
前記画像データ処理部は、
前記第１の医用画像に基づいて、所定の画像処理により、前記第1の医用画像とは異なる第２の医用画像および第３の医用画像とを発生し、
前記表示部は、
前記第１の表示エリアと、前記第１の表示エリアに隣接する第２の表示エリア及び第３の表示エリアとを有し、
前記第２の医用画像を前記第２の表示エリアに表示し、
前記第３の医用画像を前記第３の表示エリアに表示する請求項６に記載の医用画像表示装置。
【請求項８】
前記表示部は、
前記入力部からの入力により、前記関心領域を前記第１の医用画像上で移動させて表示し、
前記関心領域を移動させた移動領域を識別して表示する請求項１乃至７のうちいずれか一項に記載の医用画像表示装置。
【請求項９】
前記表示部は、
前記移動領域に、前記移動領域と同位置における前記第２の医用画像の部分領域または前記第３の医用画像の部分領域を重畳させて表示する請求項８に記載の医用画像表示装置。
【請求項１０】
被検体を撮影することにより得られた第１の医用画像において、関心領域を指定する入力が可能な入力部と、
前記関心領域の位置に対応し、前記第１の医用画像に関連する第２の医用画像を、前記関心領域に隣接させて、前記第１の医用画像とともに表示する表示部と、
前記第１の医用画像上における前記関心領域の位置と前記第１の医用画像の位置とに基づいて、前記第２の医用画像を表示させる位置を決定する画像データ処理部と、
を具備する医用画像表示装置。
【請求項１１】
被検体を撮影することにより得られた医用画像において、関心領域を指定する入力が可能な入力部と、
前記被検体に対して複数の角度から撮影された画像に基づいてトモシンセシス画像を発生し、前記医用画像上における前記関心領域の位置と前記医用画像の位置とに基づいて、前記トモシンセシス画像を表示させる位置を決定する画像データ処理部と、
前記関心領域内の画像に対応するトモシンセシス画像を前記関心領域に隣接させて、前記医用画像とともに表示する表示部と、
を具備する医用画像表示装置。
【発明の詳細な説明】
【技術分野】
【０００１】
本発明の実施形態は、画像診断を行うための画像データを表示する医用画像表示装置に関する。
【背景技術】
【０００２】
被検体を撮影して画像データを生成する画像撮影装置には、Ｘ線を照射して乳房を撮影するマンモグラフィ装置や胸部等の様々な部位を撮影するＸ線診断装置及びＸ線ＣＴ装置、ＭＲＩ装置等がある。また、画像撮影装置は、画像のデジタル化により画像処理を行うことができる。画像撮影装置は、画像処理前の画像データ（原画像データ）に対して複数の画像処理を施すことで、複数の特徴を持った画像を提供することができる。そして、画像撮影装置により得られた画像データをモニタに表示させて診断を行う場合、現在モニタに表示されている画像データ（現画像データ）だけで判断せず、現画像データに施された画像処理と異なる画像処理により得られた処理後の画像データ（別処理画像データ）と見比べて読影することがある。また、現画像データの病変の領域（関心領域）を選択し、選択した関心領域のみを拡大した拡大画像データを現画像データ上にウィンドウ表示するルーペ機能を利用して読影を行うことがある。
【先行技術文献】
【特許文献】
【０００３】
【特許文献１】特開２００４−１０５７４６号公報
【発明の概要】
【発明が解決しようとする課題】
【０００４】
しかしながら、現画像データで関心領域を見つけたとき、別処理画像データに切り替えて関心領域を比較する必要があるため、現画像データから目を離したことで関心領域を見失って診断に時間がかかる。また、ルーペ機能を用いると、関心領域に覆いかぶさるように拡大画像データが表示されるため、関心領域を把握するのが困難である。
【０００５】
本実施形態は、上記問題点を解決するためになされたもので、一方の画像データの関心領域を容易に把握することができ、他方の画像データの関心領域と容易に比較することができる医用画像表示装置を提供することを目的とする。
【課題を解決するための手段】
【０００６】
上記目的を達成するために、本実施形態の医用画像表示装置は、被検体を撮影することにより得られた第１の医用画像において、関心領域を指定する入力が可能な入力部と、前記関心領域内の画像を拡大した拡大医用画像を前記関心領域に隣接させて、前記第１の画像とともに表示する表示部と、前記第１の医用画像上における前記関心領域の位置と前記第１の医用画像の位置とに基づいて、前記拡大医用画像を表示させる位置を決定する画像データ処理部と、を具備する。
【図面の簡単な説明】
【０００７】
【図１】図１は、本実施形態に係る画像診断システムの構成を示すブロック図である。
【図２】図２は、本実施形態に係る画像データ記憶部に保存された第１及び第２の画像データの一例を示す図である。
【図３】図３は、本実施形態に係る表示部に第１の画像データ及びカーソルが表示された画面の一例を示す図である。
【図４】図４は、本実施形態に係る第１の画像データ上に重畳された枠及びこの枠で包囲された第１の画像データの領域と同じ領域のデータを第２の画像データ上に示す図である。
【図５】図５は、本実施形態に係り、第１の画像データと、第１の画像データ上に重畳される枠と、別画像データとが表示された画面の一例を示す図である。
【図６】図６は、本実施形態に係り、第１の画像データと、第１の画像データ上に重畳される枠と、拡大された別画像データとが表示された画面の一例を示す図である。
【図７】図７は、本実施形態に係り、第１の画像データと、第１の画像データ上に重畳される移動されている枠と、別画像データとが表示された画面の一例を示す図である。
【図８】図８は、本実施形態に係り、第１の画像データと、第１の画像データ上に重畳される右端部に位置する枠と、別画像データとが表示された画面の一例を示す図である。
【図９】図９は、本実施形態に係る第１の画像データ上を通過した枠の領域を足跡として識別する一例を示す図である。
【図１０】図１０は、本実施形態に係る第１の画像データ上を通過した枠の領域を足跡として識別する他の例を示す図である。
【図１１】図１１は、本実施形態に係り、第１の画像データと、第１の画像データ上に重畳される枠と、第１の画像データの右方に配置される別画像データとが表示された画面の一例を示す図である。
【図１２】図１２は、本実施形態に係り、第１の画像データと、第１の画像データ上に重畳される枠と、第１の画像データの下方に配置される別画像データとが表示された画面の一例を示す図である。
【図１３】図１３は、本実施形態に係る第１の画像データ上に重畳された枠と、この枠で包囲された第１の画像データの領域と同じ領域のデータとを第３の画像データ上に示す図である。
【図１４】図１４は、本実施形態に係り、第１の画像データと、第１の画像データ上に重畳される枠と、第１の画像データの右方及び下方に配置される２つの別画像データとが表示された画面の一例を示す図である。
【発明を実施するための形態】
【０００８】
以下、図面を参照して実施形態を説明する。
【０００９】
図１は、実施形態に係る画像診断システムの構成を示したブロック図である。この画像診断システム６００は、被検体を撮影して画像データを生成するマンモグラフィ装置やＸ線診断装置等の画像撮影装置２００と、画像撮影装置２００で生成された画像データの強調処理や複数フレームの画像データ間のサブトラクション処理等の画像処理を行う画像処理装置３００と、画像撮影装置２００で生成された画像データや画像処理装置３００で画像処理された画像データを保管する画像記憶装置４００とを備えている。
【００１０】
また、画像診断システム６００は、画像撮影装置２００で生成された画像データ、画像処理装置３００で画像処理された画像データ、及び画像記憶装置４００に保管された画像データを表示する画像表示装置（医用画像表示装置）１００を備えている。そして、画像撮影装置２００、画像処理装置３００、画像記憶装置４００、及び画像表示装置１００は、ネットワーク５００を介して画像データの送受信を行う。
【００１１】
画像表示装置１００は、画像撮影装置２００、画像処理装置３００及び画像記憶装置４００の各装置との間で画像データの送受信を行う送受信部１０と、送受信部１０で受信した画像データを保存する画像データ記憶部２０とを備えている。また、画像表示装置１００は、送受信部１０で受信した各装置からの画像データや画像データ記憶部２０に保存された画像データを表示するための処理を行う画像データ処理部３０と、画像データ処理部３０で処理された画像データを表示する表示部４０とを備えている。
【００１２】
また、画像表示装置１００は、画像データ処理部３０で処理を行う画像データの関心領域を指定する入力や、画像データ処理部３０で処理された画像データを表示部４０に表示させるための入力等を行うマウス、キーボード、ジョイスティック等の入力デバイスを有する入力部５０と、送受信部１０、画像データ記憶部２０、画像データ処理部３０及び表示部４０を制御する制御部６０とを備えている。
【００１３】
以下、図１乃至図１４を参照して、画像診断システム６００の動作の一例を説明する。
【００１４】
画像撮影装置２００は、被検体の撮影により画像データを生成して画像処理装置３００へ送信する。画像処理装置３００は、画像撮影装置２００から送信された画像データ又はこの画像データを処理した画像データを診断用の画像データ（第１の画像データ）として、第１の画像データ（第１の医用画像）に対して例えば異なる２つの画像処理により第２の画像データ（第２の医用画像）及び第３の画像データ（第３の医用画像）を生成する。そして、画像処理装置３００は、第１乃至第３の画像データを画像記憶装置４００へ送信する。画像記憶装置４００は、画像処理装置３００から送信された第１の画像データと第２及び第３の画像データを関連付けて保管する。第１の画像データは、例えば、Ｘ線撮影画像である。
【００１５】
画像表示装置１００の送受信部１０は、入力部５０からの画像データを要求する入力により要求情報を画像記憶装置４００へ送信する。画像記憶装置４００は、画像表示装置１００からの要求情報に応じて第１の画像データ及びこの第１の画像データに関連する第２及び第３の画像データを画像表示装置１００へ送信する。送受信部１０は、要求情報の送信に応じて画像記憶装置４００から送信された第１乃至第３の画像データを受信する。画像データ記憶部２０は、第１の画像データと第２及び第３の画像データを関連付けて保存する。なお、第２、第３の画像データは、被検体に対して複数の角度各々から撮影された画像であってもよい。
【００１６】
図２は、画像データ記憶部２０に保存された第１乃至第３の画像データの一例を示した図である。この第１の画像データ２１は、画像撮影装置２００により例えば被検体の病変を含む乳房の撮影により生成された画像データ又はこの画像データに処理を施すことにより生成された画像データである。また、第２及び第３の画像データ２２，２３（第３の医用画像）は第１の画像データ２１に関連付けて保存される。第２及び第３の画像データ２２，２３は、例えば乳腺内と乳腺外のコントラストを強める処理や石灰化部分を強調する処理等の病変を見つけやすくするための画像処理により第１の画像データ２１から生成された画像データである。
【００１７】
次に、表示条件として、表示画像を第１の画像データ２１に設定する入力、別画像を第２の画像データ２２に設定する入力、及び別画像の表示モードを重畳表示モードに設定する入力が入力部５０から行われる。このとき、画像データ処理部３０は、画像データ記憶部２０から第１の画像データ２１を読み出す。そして、画像データ処理部３０は、第１の画像データ２１上に関心領域を指定するためのカーソルを移動可能に配置する。そして、画像データ処理部３０は、第１の画像データ２１及びカーソルを所定の位置に配置して表示部４０に出力する。表示部４０は、画像データ処理部３０から出力された第１の画像データ２１及びカーソルを表示する。
【００１８】
図３は、表示部４０に第１の画像データ２１及びカーソルが表示された画面の一例を示した図である。この画面７０は、画像データ処理部３０から出力された画像データを表示する表示エリア４１を備えている。表示エリア４１は、最大の面積を有する第１の表示エリア４１１と、第１の表示エリア４１１の右側に隣接して配置され、第１の表示エリア４１１よりも小さい面積を有する第２の表示エリア４１２（第１の表示エリア外）と、第１の表示エリア４１１の下側に隣接して配置され、第１の表示エリア４１１よりも小さい面積を有する第３の表示エリア４１３（第１の表示エリア外）とにより構成される。そして、画像データ処理部３０から出力された表示画像としての第１の画像データ２１は、第１の表示エリア４１１に表示される。また、第１の画像データ２１上を移動可能にカーソル７４が表示される。
【００１９】
次に、入力部５０を介した例えばマウスの操作によりカーソル７４が、第１の画像データ２１の例えば病変のデータの領域である関心領域に移動される。加えて、マウス左ボタンの押圧操作により関心領域を指定して別画像を表示させる入力が行われると、画像データ処理部３０は、第１の画像データ２１を第１の表示エリア４１１に対応する位置に配置する。また、図４に示すように、画像データ処理部３０は、入力部５０からの入力により指定された関心領域を包囲する例えば四角形の枠７５を第１の画像データ２１上に重畳する。画像データ処理部３０は、また、枠７５の近傍に、関心領域に関連する別画像データを配置する。例えば、画像データ処理部３０は、第１の表示エリア４１１において、枠７５に隣接して、別画像データを配置する。具体的には、画像データ処理部３０は、枠７５に隣接および並列させて、第１の表示エリア４１１において、別画像データを配置する。
【００２０】
ここでは、枠７５で包囲された第１の画像データ２１の関心領域と同じ領域（同位置）のデータ２２１が、画像データ記憶部２０に保存された第２の画像データ２２から読み出される。画像データ処理部３０は、表示条件として設定された重畳表示モードに基づいて、読み出された第２の画像データ２２の関心領域として得られる別画像データを、枠７５の例えば四辺のいずれか一辺に隣接させる。画像データ処理部３０は、別画像データの全領域を、第１の画像データ２１上に重畳する位置に配置する。そして、画像データ処理部３０は、第１の画像データ２１、枠７５及び別画像データを表示部４０に出力する。表示部４０は、第１の画像データ２１並びに第１の画像データ２１上に重畳される枠７５及び別画像データを表示する。
【００２１】
なお、画像データ処理部３０は、被検体に対して複数の角度各々から撮影された画像に基づいて、トモシンセシス（ｔｏｍｏｓｙｎｔｈｅｓｉｓ）画像を発生する。具体的には、画像データ処理部３０は、被検体に対する複数の角度にそれぞれ対応する複数の画像に基づいて、所定の処理により、トモシンセシス画像を発生する。所定の処理とは、例えば、シフト加算法、フィルタ補正逆投影（Ｆｉｌｔｅｒｅｄ  ＢａｃｋＰｒｏｊｅｃｔｉｏｎ：ＦＢＰ）法などである。例えば、画像データ処理部３０は、トモシンセシス画像として、被検体に対する断面を所定の間隔で変更させた複数のトモシンセシス画像を発生する。画像データ処理部３０は、発生したトモシンセシス画像を、画像データ記憶部２０に記憶させる。画像データ処理部３０は、トモシンセシス画像を、第２または第３の画像データとして用いて、別画像データを発生してもよい。
【００２２】
図５は、第１の画像データ２１と、第１の画像データ２１上に重畳される枠７５と、別画像データとを、表示部４０の画面に表示した一例を示した図である。この画面７０ａの第１の表示エリア４１１に第１の画像データ２１が表示されている。また、第１の画像データ２１上に重畳された関心領域を包囲する枠７５が表示されている。また、枠７５の例えば右辺に隣接する位置であり、且つ、別画像データの全領域を第１の画像データ２１上に重畳する位置に配置された別画像データ２４が表示されている。ここでは、別画像データ２４の全領域が第１の画像データ２１上に重畳する位置であれば、枠７５の上辺、左辺又は下辺のいずれかに隣接して配置するように実施してもよい。
【００２３】
なお、上記別画像データとして、第１の画像データ（第１の医用画像）における関心領域を拡大した拡大医用画像が用いられてもよい。このとき、画像データ処理部３０は、関心領域の設定（指定）に応じて、拡大医用画像を発生する。たとえば、画像データ処理部３０は、第１の画像データ（第１の医用画像上）における関心領域の位置と第１の画像データの位置とに基づいて、拡大医用画像を表示させる位置を決定する。なお、別画像データは、第１の医用画像に対して階調処理、周波数処理等が実行された画像データであってもよい。
【００２４】
このように、第１の画像データ２１上に関心領域を包囲する枠７５を重畳して表示部４０に表示することにより、第１の画像データ２１の関心領域を容易に把握することができる。また、枠７５及びこの枠７５近傍に配置した別画像データ２４を第１の画像データ２１上に重畳して表示部４０に表示することにより、第１の画像データ２１の関心領域を見失うことなく別画像データ２４を観察することができる。加えて、目線を動かすことなく第１の画像データ２１の関心領域と別画像データ２４を観察することができるため、第１の画像データ２１の関心領域と別画像データ２４とを容易に比較することができる。
【００２５】
ここで、入力部５０のマウス左ボタンの押圧を解除する操作により別画像を消去する入力が行われると、表示部４０は、図３の画面７０を表示する。
【００２６】
なお、表示部４０に図３の画面７０が表示された状態で表示条件として第２の画像データ２２に設定された別画像を拡大画像（拡大医用画像）に変更設定する入力が入力部５０から行われ、更にカーソル７４を第１の画像データ２１の関心領域に移動し、別画像を表示させる入力が行われると、画像データ処理部３０は、図６に示すように、図５の画面７０ａに表示された別画像データ２４を拡大することにより、別画像データ２４ａ（又は枠７５で包囲された第１の画像データ２１の関心領域を拡大して得られる別画像データ）を発生する。次いで、画像データ処理部３０は、別画像データの全領域を、第１の画像データ２１上に重畳して枠７５に隣接する位置に配置する。そして、画像データ処理部３０は、第１の画像データ２１、枠７５及び別画像データ２４ａを表示部４０に出力する。表示部４０は、第１の画像データ２１並びに第１の画像データ２１上に重畳される枠７５及び別画像データ２４ａを表示する。
【００２７】
このように、枠７５及びこの枠７５近傍に配置した別画像データ２４ａを第１の画像データ２１上に重畳して表示部４０に表示することにより、第１の画像データ２１の関心領域を見失うことなく別画像データ２４ａを観察することができる。加えて、目線を動かすことなく第１の画像データ２１の関心領域と別画像データ２４ａを観察することができるため、第１の画像データ２１の関心領域と別画像データ２４ａとを容易に比較することができる。
【００２８】
次に、入力部５０のマウスの左のボタンを押圧した状態で、図５の画面７０ａに表示された枠７５を、第１の画像データ２１上の例えば右端部へ移動させる入力が行われると、画像データ処理部３０は、右端部方向へ移動している枠で包囲された第１の画像データ２１の領域と同じ領域のデータを第２の画像データ２２から読み出すことにより、別画像データを発生する。次いで、画像データ処理部３０は、得られた別画像データを、移動している枠の四辺のいずれか一辺に隣接して、別画像データの全領域を、第１の画像データ２１上に重畳する位置に配置する。そして、画像データ処理部３０は、第１の画像データ２１、移動している枠及び別画像データを表示部４０に出力する。表示部４０は、第１の画像データ２１並びに第１の画像データ２１上に重畳される、移動している枠及び別画像データを表示する。
【００２９】
図７は、第１の画像データ２１と、第１の画像データ２１上に重畳され、移動されている枠と、別画像データとを、表示部４０の画面に表示した一例を示した図である。この画面７０ｂの第１の表示エリア４１１に、第１の画像データ２１が表示されている。また、第１の画像データ２１上を右端部方向へ移動している枠７５ａが表示されている。また、枠７５ａで包囲される第１の画像データ２１の領域と同じ領域のデータは、第２の画像データ２２から読み出すことにより得られる。別画像データの全領域は、第１の画像データ２１上に重畳して枠７５ａの例えば右辺に隣接して配置されて、表示されている。
【００３０】
このように、第１の画像データ２１上で移動している枠７５ａを重畳して表示部４０に表示することにより、第１の画像データ２１の関心領域を容易に把握することができる。また、移動している枠７５ａ及びこの枠７５ａ近傍に配置した別画像データ２４ｂを第１の画像データ２１上に重畳して表示部４０に表示することにより、第１の画像データ２１の関心領域を見失うことなく別画像データ２４ｂを観察することができる。加えて、目線を動かすことなく第１の画像データ２１の関心領域と別画像データ２４ｂを観察することができるため、第１の画像データ２１の関心領域と別画像データ２４ｂとを容易に比較することができる。
【００３１】
そして、枠７５ａが第１の画像データ２１の右端部に到達したとき、表示部４０は、第１の画像データ２１並びに第１の画像データ２１上に重畳される右端部に位置する枠及び別画像データを表示する。
【００３２】
図８は、第１の画像データ２１と、第１の画像データ２１上に重畳され、右端部に位置する枠と、別画像データとを、表示部４０の画面に表示した一例を示した図である。この画面７０ｃの第１の表示エリア４１１に、第１の画像データ２１と、第１の画像データ２１上に重畳され、第１の画像データ２１の右端部に位置する枠７５ｂとが表示されている。また、枠７５ｂで包囲される第１の画像データ２１の領域と同じ領域のデータは、第２の画像データ２２から読み出すことにより得られる。別画像データの全領域は、第１の画像データ２１上に重畳して配置される。これらのことにより枠７５ｂの例えば下辺に隣接して別画像データ２４ｃが表示される。なお、表示部４０は、別画像データ２４ｃの全領域を、第１の画像データ２１上に重畳して配置可能な枠７５ｂの上辺又は左辺に隣接させるように表示してもよい。
【００３３】
このように、第１の画像データ２１の右端部へ移動した枠７５ｂを重畳して表示部４０に表示することにより、第１の画像データ２１の関心領域を容易に把握することができる。また、右端部に位置する枠７５ｂ及びこの枠７５ｂの右辺以外の辺近傍に配置した別画像データ２４ｃを第１の画像データ２１上に重畳して表示部４０に表示することにより、第１の画像データ２１の関心領域を見失うことなく別画像データ２４ｃを観察することができる。加えて、目線を動かすことなく第１の画像データ２１の関心領域と別画像データ２４ｃを観察することができるため、第１の画像データ２１の関心領域と別画像データ２４ｃとを容易に比較することができる。
【００３４】
また、第１の画像データ２１上に各枠７５，７５ａ，７５ｂ及び各別画像データ２４，２４ａ，２４ｂ，２４ｃを重畳させることにより、画像データの表示可能な最大面積が表示エリア４１を有する表示部４０よりも小さい第１の表示エリア４１１の面積を有する表示部にも表示することができる。
【００３５】
なお、表示部４０に図３の画面７０が表示された状態で、表示条件として足跡表示を追加設定する入力が入力部５０から行われた後、カーソル７４を第１の画像データ２１の関心領域上に移動して別画像を表示させる入力が行われ、更にマウスの左のボタンを押圧した状態で、図５の画面７０ａに表示された枠７５を第１の画像データ２１上の右端部までへ移動させる入力が行われると、画像データ処理部３０は、画面７０ａに表示された枠７５の位置から図８の画面７０ｃに表示された枠７５ｂの位置まで移動する間に第１の画像データ２１上を通過した枠の領域を足跡として識別する。
【００３６】
ここでは、図９に示すように、画像データ処理部３０は、第１の画像データ２１上を通過した枠の領域２１１を色で識別するようにしてもよい。また、図１０に示すように、画像データ処理部３０は、領域２１１と同じ領域のデータを第２の画像データ２２から読み出すことにより得られる画像データを第１の画像データ２１上に重畳することにより識別するようにしてもよい。そして、画像データ処理部３０は、領域２１１を識別した第１の画像データ２１、枠７５ｂ及び別画像データ２４ｃを表示部４０に出力する。表示部４０は、領域２１１が識別された第１の画像データ２１並びに第１の画像データ２１上に重畳される枠７５ｂ及び別画像データ２４ｃを表示する。すなわち、表示部４０は、関心領域の指定以前に入力された関心領域（関心領域の移動領域）を、入力された関心領域と識別可能に表示する。表示部４０は、関心領域の移動領域に、移動領域と同位置における第２の画像データ２２の部分領域または前記第３の画像データ２３の部分領域を重畳させて表示してもよい。
【００３７】
このように、別画像データを表示させたことのある第１の画像データ２１の関心領域を識別して表示部４０に表示することにより、別画像データとして表示されていない関心領域の見落としを防ぐことができる。また、同じ関心領域を不用意に指定してしまう無駄を防ぐことができる。
【００３８】
次に、表示部４０に図３の画面７０が表示された状態で、表示条件として重畳表示モードに設定された別画像の表示モードを第２表示エリアモードに変更設定する入力が入力部５０から行われ、更にカーソル７４を第１の画像データ２１の関心領域上まで移動して別画像を表示させる入力が行われると、画像データ処理部３０は、第１の画像データ２１を第１の表示エリア４１１に対応する位置に配置する。また、画像データ処理部３０は、第１の画像データ２１上に、関心領域を包囲する枠７５を重畳する。また、画像データ処理部３０は、枠７５で包囲された第１の画像データ２１の領域と同じ領域のデータ２２１を第２の画像データ２２から読み出す。画像データ処理部３０は、第２の画像データ２２の関心領域として得られる別画像データ２４を、第１の画像データ２１の右方の表示エリア４１の第２の表示エリア４１２に対応する位置に配置する。そして、画像データ処理部３０は、第１の画像データ２１、枠７５及び別画像データ２４を表示部４０に出力する。表示部４０は、第１の画像データ２１、第１の画像データ２１上に重畳される枠７５及び第１の画像データの右方に配置される別画像データ２４を表示する。
【００３９】
なお、別画像データ２４を表示させた場合に第２の表示エリア４１２からはみ出すサイズである場合、画像データ処理部３０は、別画像データ２４の全領域が第２の表示エリア４１２に含まれるように縮小される。以下では、別画像データ２４は、全領域が第２の表示エリア４１２に含まれるサイズとする。
【００４０】
図１１は、第１の画像データ２１と、第１の画像データ２１上に重畳される枠７５と、第１の画像データ２１の右方に配置される別画像データ２４とを、表示部４０の画面に表示した画面の一例を示した図である。この画面７０ｄの第１の表示エリア４１１に第１の画像データ２１が表示され、第１の画像データ２１上に重畳された枠７５が表示されている。また、枠７５右方の第２の表示リア４１２に別画像データ２４が表示されている。
【００４１】
ここで、入力部５０のマウスの左ボタンを押圧した状態で、枠７５を第１の画像データ２１上の上方又は下方の一方へ移動させる入力が行われると、画像データ処理部３０は、一方へ移動している枠７５で包囲された第１の画像データ２１の領域と同じ領域のデータを、第２の画像データ２２から読み出す。画像データ処理部３０は、読み出した第２の画像データにより別画像データを、発生する。次いで、画像データ処理部３０は、第２の表示エリア４１２の一方へ移動している枠７５に連動する位置に配置する。そして、画像データ処理部３０は、第１の画像データ２１、一方へ移動している枠７５及び別画像データを表示部４０に出力する。表示部４０は、第１の画像データ２１及び第１の画像データ２１上を一方へ移動している枠７５を第１の表示エリア４１１に表示する。加えて、表示部４０は、枠７５に連動して枠７５と同じ方向へ移動し、枠７５に連動して変化する関心領域に関連する別画像データを、第２の表示エリア４１２に表示する。
【００４２】
このように、表示部４０は、第１の表示エリア４１１に配置した第１の画像データ２１の関心領域を包囲する枠７５と、この枠７５近傍の第２の表示エリア４１２に配置した別画像データ２４とを表示する。これにより、第１の画像データ２１の関心領域を見失うことなく別画像データ２４を観察することができる。加えて、目線を動かすことなく第１の画像データ２１の関心領域と別画像データ２４を観察することができるため、第１の画像データ２１の関心領域と別画像データ２４とを容易に比較することができる。また、別画像データ２４に覆われることなく第１の画像データ２１の全領域を観察することができるため、枠７５を容易に他の関心領域へ移動することができる。
【００４３】
次に、表示部４０に図３の画面７０が表示された状態で、表示条件として重畳表示モードに設定された別画像の表示モードを第３表示エリアモードに変更設定する入力が入力部５０から行われ、更にカーソル７４を第１の画像データ２１の関心領域上まで移動して別画像を表示させる入力が行われると、画像データ処理部３０は、第１の画像データ２１を第１の表示エリア４１１に対応する位置に配置する。また、画像データ処理部３０は、第１の画像データ２１上に枠７５を重畳する。また、画像データ処理部３０は、別画像データ２４を、第１の画像データ２１の下方の表示エリア４１の第３の表示エリア４１３に対応する位置に配置する。そして、画像データ処理部３０は、第１の画像データ２１、枠７５及び別画像データ２４を表示部４０に出力する。表示部４０は、第１の画像データ２１と、第１の画像データ２１上に重畳される枠７５と、第１の画像データ２１の下方に配置される別画像データ２４とを表示する。
【００４４】
なお、別画像データ２４を表示させたときに別画像データが第３の表示エリア４１３からはみ出すサイズである場合、画像データ処理部３０は、別画像データ２４の全領域が第３の表示エリア４１３に含まれるように、別画像データを縮小する。以下では、別画像データ２４は、全領域が第３の表示エリア４１３に含まれるサイズとする。
【００４５】
図１２は、第１の画像データ２１と、第１の画像データ２１上に重畳される枠７５と、第１の画像データ２１の下方に配置される別画像データ２４とを、表示部４０の画面に表示した一例を示した図である。この画面７０ｅの第１の表示エリア４１１に、第１の画像データ２１と、第１の画像データ２１上に重畳された枠７５とが表示されている。また、枠７５下方の第３の表示リア４１３に別画像データ２４が表示されている。
【００４６】
ここで、入力部５０のマウスの左ボタンを押圧した状態で、枠７５を第１の画像データ２１上の左方又は右方の一方へ移動させる入力が行われると、画像データ処理部３０は、一方へ移動している枠７５で包囲された第１の画像データ２１の領域と同じ領域のデータを第２の画像データ２２から読み出す。画像データ処理部３０は、読み出した第２の画像データ２２により、別画像データを、発生する。画像データ処理部３０は、別画像データを、第３の表示エリア４１３の一方へ移動している枠７５に連動する位置に配置する。そして、画像データ処理部３０は、第１の画像データ２１、一方へ移動している枠７５及び別画像データを表示部４０に出力する。表示部４０は、第１の画像データ２１及び第１の画像データ２１上を一方へ移動している枠７５を第１の表示エリア４１１に表示する。加えて、表示部４０は、枠７５に連動して枠７５と同じ方向へ移動し、枠７５に連動して変化する関心領域に関連する別画像データを、第３の表示エリア４１３に表示する。
【００４７】
このように、第１の表示エリア４１１に配置した第１の画像データ２１の関心領域を包囲する枠７５と、この枠７５近傍の第３の表示エリア４１３に配置した別画像データ２４とを表示部４０に表示させることにより、第１の画像データ２１の関心領域を見失うことなく別画像データ２４を観察することができる。加えて、目線を動かすことなく第１の画像データ２１の関心領域と別画像データ２４を観察することができるため、第１の画像データ２１の関心領域と別画像データ２４とを容易に比較することができる。また、別画像データ２４に覆われることなく第１の画像データ２１の全領域を観察することができるため、枠７５を容易に他の関心領域へ移動することができる。
【００４８】
次に、表示部４０に図３の画面７０が表示された状態で、表示条件として重畳表示モードに設定された別画像の表示モードを第２及び第３表示エリアモードに変更設定する入力、並びに別画像を第２及び第３の画像データ２２，２３に変更設定する入力が入力部５０から行われ、更にカーソル７４を第１の画像データ２１の関心領域上まで移動して別画像を表示させる入力が行われると、画像データ処理部３０は、第１の画像データ２１を第１の表示エリア４１１に対応する位置に配置する。また、画像データ処理部３０は、第１の画像データ２１上に枠７５を重畳する。また、画像データ処理部３０は、別画像データ２４を、第１の画像データ２１右方の第２の表示エリア４１２に対応する位置に配置する。また、画像データ処理部３０は、枠７５で包囲された第１の画像データ２１の関心領域と同じ領域のデータ２３１を画像データ記憶部２０に保存された第３の画像データ２３から読み出す。画像データ処理部３０は、読み出した第３の画像データ２３により第３の画像データ２３の関心領域として得られる別画像データを、発生する。画像データ処理部３０は、図１３に示すように、別画像データを、第１の画像データ２１下方の第３の表示エリア４１３に対応する位置に配置する。そして、画像データ処理部３０は、第１の画像データ２１、枠７５、別画像データ２４及び第３の画像データ２３から得られた別画像データを表示部４０に出力する。表示部４０は、第１の画像データ２１と、第１の画像データ２１上に重畳される枠７５と、第１の画像データ２１の右方に配置される別画像データ２４と、及び第１の画像データ２１の下方に配置される別画像データとを表示する。
【００４９】
図１４は、第１の画像データ２１と、第１の画像データ２１上に重畳される枠７５と、第１の画像データ２１の右方に配置される別画像データ２４と、及び第１の画像データ２１の下方に配置される別画像データとを、表示部４０の画面に表示した一例を示した図である。この画面７０ｆの第１の表示エリア４１１に、第１の画像データ２１と、第１の画像データ２１上に重畳された枠７５とが表示されている。また、枠７５の右方の第２の表示リア４１２に別画像データ２４が表示されている。また、枠７５の下方の第３の表示リア４１３に第３の画像データ２３から得られた別画像データ２５が表示されている。
【００５０】
ここで、入力部５０のマウスの左のボタンを押圧した状態で、枠７５を第１の画像データ２１上方又は下方の一方へ移動させる入力が行われると、表示部４０は、第１の画像データ２１と、第１の画像データ２１上において一方へ移動している枠７５とを、第１の表示エリア４１１に表示する。また、表示部４０は、枠７５に連動して枠７５と同じ方向へ移動され、枠７５に連動して変化する関心領域に関連する第２の画像データ２２から得られた別画像データを、第２の表示エリア４１２に表示する。また、表示部４０は、枠７５の下方で停止され、枠７５に連動して変化する関心領域に関連する第３の画像データ２３から得られた別画像データを、第３の表示エリア４１３に表示する。
【００５１】
また、入力部５０のマウスの左のボタンを押圧した状態で、枠７５を第１の画像データ２１左方又は右方の一方へ移動させる入力が行われると、表示部４０は、第１の画像データ２１及び第１の画像データ２１上を一方へ移動している枠７５を第１の表示エリア４１１に表示する。また、表示部４０は、枠７５の右方で停止され、枠７５に連動して変化する関心領域に関連する第２の画像データ２２から得られた別画像データを、第２の表示エリア４１２に表示する。また、表示部４０は、枠７５に連動して枠７５と同じ方向へ移動され、枠７５に連動して変化する関心領域に関連する第３の画像データ２３から得られた別画像データを、第３の表示エリア４１３に表示する。
【００５２】
このように、第１の表示エリア４１１に配置した第１の画像データ２１の関心領域を包囲する枠７５及びこの枠７５近傍の第２及び第３の表示エリア４１２，４１３に配置した２つの別画像データ２４，２５が表示部４０に表示される。これにより、第１の画像データ２１の関心領域を見失うことなく２つの別画像データ２４，２５を観察することができる。加えて、目線を動かすことなく第１の画像データ２１の関心領域と別画像データ２４，２５を観察することができるため、第１の画像データ２１の関心領域と別画像データ２４，２５とを容易に比較することができる。また、別画像データ２４，２５に覆われることなく第１の画像データ２１の全領域を観察することができるため、枠７５を容易に他の関心領域へ移動することができる。
【００５３】
以上述べた実施形態によれば、第１の画像データ２１上に関心領域を包囲する各枠７５，７５ａ，７５ｂを重畳して表示部４０に表示することにより、第１の画像データ２１の関心領域を容易に把握することができる。また、各枠７５，７５ａ，７５ｂ及びこの枠近傍に配置した各別画像データ２４，２４ａ，２４ｂ，２４ｃを第１の画像データ２１上に重畳して表示部４０に表示することにより、第１の画像データ２１の関心領域を見失うことなく各別画像データ２４，２４ａ，２４ｂ，２４ｃを観察することができる。これにより、目線を動かすことなく第１の画像データ２１の関心領域と各別画像データ２４，２４ａ，２４ｂ，２４ｃを観察することができるため、第１の画像データ２１の関心領域と各別画像データ２４，２４ａ，２４ｂ，２４ｃとを容易に比較することができる。
【００５４】
また、第１の表示エリア４１１に配置した第１の画像データ２１の関心領域を包囲する枠７５及びこの枠７５近傍の第２或いは第３の表示エリア４１２，４１３に配置した別画像データ２４、又は第２及び第３の表示エリア４１２，４１３に配置した別画像データ２４，２５を表示部４０に表示することにより、第１の画像データ２１の関心領域を容易に把握することができる。また、第１の画像データ２１の関心領域を見失うことなく別画像データ２４又は別画像データ２４，２５を観察することができる。これにより、目線を動かすことなく第１の画像データ２１の関心領域と別画像データ２４又は別画像データ２４，２５を観察することができるため、第１の画像データ２１の関心領域と別画像データ２４又は別画像データ２４，２５とを、容易に比較することができる。また、別画像データ２４又は別画像データ２４，２５に覆われることなく第１の画像データ２１の全領域を観察することができるため、枠７５を容易に他の関心領域へ移動することができる。
【００５５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５６】
２１…第１の画像データ、２２…第２の画像データ、２３…第３の画像データ、２４…別画像データ、３０…画像データ処理部、４０…表示部、５０…入力部、６０…制御部、７５…枠、１００…画像表示装置、２００…画像撮影装置、３００…画像処理装置、４００…画像記憶装置、５００…ネットワーク、６００…画像診断システム。
【図１】
2020058866.tif 000003
【図２】
2020058866.tif 000004
【図３】
2020058866.tif 000005
【図４】
2020058866.tif 000006
【図５】
2020058866.tif 000007
【図６】
2020058866.tif 000008
【図７】
2020058866.tif 000009
【図８】
2020058866.tif 000010
【図９】
2020058866.tif 000011
【図１０】
2020058866.tif 000012
【図１１】
2020058866.tif 000013
【図１２】
2020058866.tif 000014
【図１３】
2020058866.tif 000015
【図１４】
2020058866.tif 000016